(57)【特許請求の範囲】
【請求項１】
演奏操作される複数の鍵と、
この複数の鍵の下方に設けられ、鍵操作により各鍵の駆動部を介して楽音の発生を制御するための鍵駆動センサと、
この鍵駆動センサを載置し、該鍵駆動センサから上記楽音を制御する制御信号を取り出すための配線パターンを鍵の並び方向に延設された基板とを備えた電子楽器の鍵盤装置において、
前記基板に、前記複数の鍵の隣り合う鍵間の隙間に沿って帯状に対応する面に、半田付けに対して抵抗性のある素材により黒色系にするような面処理を施したことを特徴とする電子楽器の鍵盤装置。
【請求項２】
前記面処理の部分は電子部品が接続されるランドの間に短絡防止部を有することを特徴とする請求項１記載の電子楽器の鍵盤装置。
【発明の詳細な説明】
【０００１】
【発明の属する技術分野】
本発明は、複数の鍵の下方に鍵スイッチ等を載置した基板を備える電子楽器の鍵盤装置に関する。
【０００２】
【従来の技術】
従来、電子楽器の鍵盤装置は、鍵の下に押鍵と離鍵を検出するために鍵スイッチを備えており、この鍵スイッチは該鍵スイッチのオン／オフを検出する回路パターンを配線した回路基板に載置されている。この回路基板は鍵の並び方向に長尺の基板であり、鍵の下方で鍵の並び面と略平行に配置されている。
【０００３】
【発明が解決しようとする課題】
しかし、従来の鍵盤装置では、鍵と鍵の隙間から回路基板のレジストの色（通常は緑色）や、回路パターンの銅色が見えてしまい、いかにも電気製品といった感じがしてしまう。例えば、アコースティックピアノをモデル化したような電子ピアノにおいては特に見え懸り（見ばえ）がよくない。
【０００４】
本発明は、電子楽器の鍵盤装置において、鍵と鍵の隙間で基板を目立たなくし、鍵盤部分の見え懸り（見ばえ）を向上させることを課題とする。
【０００５】
【課題を解決するための手段】
本発明の請求項１の電子楽器の鍵盤装置は、演奏操作される複数の鍵と、この複数の鍵の下方に設けられ、鍵操作により各鍵の駆動部を介して楽音の発生を制御するための鍵駆動センサと、この鍵駆動センサを載置し、該鍵駆動センサから上記楽音を制御する制御信号を取り出すための配線パターンを鍵の並び方向に延設された基板とを備えた電子楽器の鍵盤装置において、前記基板に、前記複数の鍵の隣り合う鍵間の隙間に沿って帯状に対応する面に、半田付けに対して抵抗性のある素材により黒色系にするような面処理を施したことを特徴とする。
また、本発明の請求項２の電子楽器の鍵盤装置は、請求項１に記載の電子楽器の鍵盤装置であって、前記面処理の部分は電子部品が接続されるランドの間に短絡防止部を有することを特徴とする。
【０００６】
上記のように構成された請求項１の電子楽器の鍵盤装置によれば、基板の少なくとも複数の鍵の隣り合う鍵間に対応する面が黒色系となっているので、鍵と鍵の隙間から基板が見えない。
また、請求項２の電子楽器の鍵盤装置によれば、短絡防止部によりランドの短絡を防止することができる。
【０００７】
ここで、上記「黒色系」とは暗い色のことであるが、この黒色系の範囲は、ＪＩＳ規格（ＪＩＳ  Ｚ  ８７２９）のＬ＊ａ＊ｂ＊表色系における明度３０（Ｌ＊  ＝３０）以下が望ましい。
【０００９】
前記面処理は、前記基板の黒色系のレジスト層からなるものでもよい。
【００１０】
前記面処理は、第１レジスト層と第２レジスト層からなり、第２レジスト層で例えば電子部品のリードと導電パターンとの短絡を防止するダブルレジスト構造のもので、第２レジスト層に黒色系レジストを用いるような処理でもよい。この場合、本発明における前記作用効果と同時にダブルレジストの効果も得られる。また、この場合、第２レジスト層が、基板の少なくとも複数の鍵の隣り合う鍵間に対応する面に形成されるので、この鍵間の隙間の部分の基板表面が丈夫になる。したがって、鍵の隙間から異物を挿入するようなことがあっても、回路基板が保護される。
【００１１】
前記面処理は、基板に記号（文字を含む）を印刷するときの同じ黒色系のインクでこの記号と同時に印刷するような処理でもよい。この場合、記号の印刷と同時に面処理を行うので処理工程に負担がかからない。
【００１２】
【発明の実施の形態】
以下、本発明の実施の形態について図面を参照して説明する。図１は本発明の第１実施形態の電子楽器の鍵盤装置の要部を示す一部破断平面図、図２は同鍵盤装置の断面図（図１のＰ−Ｐ断面図）、図３は同鍵盤装置における鍵スイッチ部分の断面図である。
【００１３】
この実施形態の鍵盤は、１オクターブ分を一つのユニットとして、５個の黒鍵を一体に樹脂成形した黒鍵ユニットと、一つおきの４個の白鍵を一体に樹脂成形した白鍵ユニットと、残り３個の白鍵を一体に樹脂成形した白鍵ユニットを、互いに一体に組み付けたものである。各鍵１の後端部には各鍵ユニットに対応するヒンジ部１１が重ねられ、その後端部は各鍵ユニットを一体に連結する共通支持部１２となっている。そして、共通支持部１２が下ケースである鍵盤シャーシ２に取り付けられ、ヒンジ部１１が弾性変形することにより、各鍵１は鍵盤シャーシ２に対して揺動可能に支持されている。
【００１４】
鍵１の下方には鍵盤シャーシ２に固定された回路基板３が配設されており、この回路基板３上には鍵１の押鍵および離鍵操作を検出する鍵駆動センサとしての鍵スイッ４（図２，図３参照）が配置されている。なお、図２では、鍵スイッチ４は黒鍵用のものを図示してあるが、白鍵についても同様な鍵スイッチが配設されている。また、回路基板３の先端縁の裏面には上限ダンパー５が鍵の並び方向に布設され、また、回路基板３の手前下方には下限ダンパー６が鍵の並び方向に布設されている。そして、鍵１のストッパ１３が上限ダンパー５または下限ダンパー６に当接して鍵１の上限位置と下限位置が規制される。上記ダンパーはストッパ部材とも呼ばれ、フェルトまたはシリコンゴム等の緩衝材からなる。
【００１５】
図３に示したように、鍵スイッチ４は、回路基板３の基板３１上に形成された第１固定接点４１、第２固定接点４２、この第１固定接点４１と第２固定接点４２を覆うように基板３１に取り付けられた接点ラバー４３および接点ラバー４３の中央に形成された可動部４３ａの下端に形成された可動接点４４とで構成されている。なお、接点ラバー４３は明度３０以下の黒色系の色とする。
【００１６】
また、図２に示したように、鍵１の裏面には駆動部としてのアクチュエータ１４が形成されている。そして、鍵１を押鍵するとアクチュエータ１４に押されて接点ラバー４３が変形し、可動接点４４が第１固定接点４１と第２固定接点４２を導通し、鍵スイッチ４がオンとなる。また離鍵すると接点ラバー４３のそれ自身がもつ弾性回復力によって可動接点４４が第１固定接点４１と第２固定接点４２から離れ、鍵スイッチ４がオフとなる。
【００１７】
一方、基板３１上には、鍵スイッチ４のオン／オフの制御信号を取り出すための配線パターン３２が形成されている。また、基板３１上には配線パターン３２を覆うように、半田付け抵抗層として深緑色の第１レジスト層３３が形成されている。さらに、回路基板３の、鍵間の隙間Ｄに対応する面の部分には、明度３０以下の黒色インクの印刷（面処理）により第２レジスト層７が形成されている。すなわち、第２レジスト層７は隙間Ｄに沿って縦（鍵長手方向）に帯状に形成されている。この黒色インクは半田付けに対して抵抗性のあるエポキシ樹脂系のインクが用いられる。
【００１８】
なお、図１では、第２レジスト層７の部分を回路基板３のその他の部分と区別するために、第２レジスト層７の部分は斜線を付けて図示してある。また、図３では配線パターン３２、第１レジスト層３３および第２レジスト層７の厚みは誇張して図示し、その断面の斜線は省略してある。
【００１９】
以上の構成により、鍵間の隙間Ｄの部分において、回路基板３がある部分は、黒色インクの第２レジスト層７により第１レジスト層３３の深緑色が見えることなく、回路基板３がない部分２４（下限ダンパー６および接点ラバー４３も含む）と同様に漆黒に見える。なお、接点ラバー４３は複数鍵にわたってその下に布設される長尺の部材であり、隙間Ｄの下にも配設されるが、黒色系のラバーで形成されているので、この接点ラバー４３も目立つことはない。また、接点ラバー４３は透明であっても同様に目立つことがない。さらに、接点ラバーを各鍵に対応して個別に設ける場合は、そのここの接点ラバーを対応する鍵で隠すことができるのでどのような色でもよい。
【００２０】
また、回路基板３のこの隙間Ｄに対応する部分は、第２レジスト層７が形成されていることにより表面が丈夫になっているので、例えば、隙間Ｄにピンなどの異物が入ったりそれを取ろうとして針金などを挿入しても、回路基板３の損傷を防止することができる。
【００２１】
また、上記の例では配線パターン３２の上に第１レジスト層３３が形成されているが、この第１レジスト層３３が形成されないような部分があってもよい。すなわち、配線パターン３２は鍵スイッチ４の信号を所定の端子に導くために、通常は回路基板３の長手方向（鍵１の並び方向）に延設される。このため、配線パターン３２は鍵間の隙間Ｄ（図１参照）に対応する面上を通って布設されることになり、隣り合う鍵１の隙間Ｄの下を通ることになる。したがって、第１レジスト層３３がないと、従来のものでは配線パターン３２の例えば銅色までもが見えてしまうが、第２レジスト層７が形成されているので、第１レジスト層３３がなくても、隙間Ｄは漆黒のままに見える。
【００２２】
第１実施形態では、第２レジスト層７は隙間Ｄに沿って縦に帯状に形成されているが、図４および図５に示す第２実施形態のように第２レジスト層８により、ダブルレジストの機能を持たせることができる。
【００２３】
図４は第２実施形態における回路基板の一部を示す平面図、図５は図４のＡ−Ａ断面図およびＢ−Ｂ断面図である。なお、第１実施形態と同様な要素には同符号を付記してある。基板３１上に第１固定接点４１、第２固定接点４２、ランド３２−１、…等が形成され、半田付け抵抗層として深緑色の第１レジスト層３３が形成され、さらに、エポキシ樹脂系の黒色インクの印刷により第２レジスト層８が形成されている。なお、図４の編み目模様の部分は第１レジスト層３３の上に第２レジスト層８が重なって形成されている部分を示している。
【００２４】
また、第１固定接点４１に繋がるランド３２−１とランド３２−２の間に電子部品１０が接続され、ランド３２−３とランド３２−４の間にジャンパ線２０が接続される。ランド３２−２とランド３２−３は接近しており、ランド３２−２に繋がるパターン３２−５はランド３２−４と接近している。
【００２５】
この第２実施形態の第２レジスト層８は、第１実施形態の第２レジスト層７と同様に隙間Ｄに沿って縦に形成された帯状部８１の他に、ランド３２−２とランド３２−３に接近して形成された短絡防止部８２−１、ランド３２−４およびパターン３２−５に接近して形成された短絡防止部８２−２を有している。
【００２６】
電子部品１０の一方の脚１０ａはランド３２−１に、また、他方の脚１０ｂはランド３２−２にそれぞれ半田付けされるが、不可抗力により脚１０ｂがランド３２−３側に曲がる恐れがある。そして、短絡防止部８２−１がないと、脚１０ｂがランド３２−３に接触（短絡）することがあるが、短絡防止部８２−１により、脚１０ｂとランド３２−３の短絡を防止することができる。
【００２７】
また、ランド３２−３とランド３２−４にはジャンパ線２０の脚２０ａ，２０ｂが半田付けされる。このジャンパ線２０の片側の脚２０ａとランド３２−２間についても短絡防止部８２−１により短絡を防止することができる。さらに、ジャンパ線２０の他方の脚２０ｂもパターン３２−５側に曲がる恐れがあり、また、第１レジスト層３３は損傷を受け易いので、短絡防止部８２−２がないと、脚２０ｂがパターン３２−５に接触することがある。しかし、短絡防止部８２−２により、脚２０ｂとパターン３２−５の短絡を防止することができる。
【００２８】
なお、第２レジスト８の帯状部８１は、第１実施形態の第２レジスト７と同様な作用をし、隙間Ｄの部分において、第１レジスト層３３の深緑色が見えることなく、回路基板３がない部分と同様に漆黒に見える。
【００２９】
図４に示したように、第１レジスト層３３上には「Ｄ２７」のマーク９が印刷されているが、このマーク９と第２レジスト８は同じインクで同時に印刷されたものである。すなわち、マーク９と第２レジスト８は同一工程で形成することができ、処理工程に負担がかからない。
【００３０】
以上の実施形態では、第１レジスト層３３の上に黒色インクの第２レジスト層７（または８）を形成するようにしているが、最外層のレジスト層が透明となるような場合には、その下に黒色系のレジスト層を形成するようにしてもよい。すなわち、少なくとも複数の鍵の隣り合う鍵間に対応する面の領域が黒色系に見えればよい。
【００３１】
また、実施形態では第２レジスト層を一部に形成するようにしているが、基板の全面に形成してもよいことはいうまでもない。
【００３２】
また、基板に載置されるダイオード等の電子部品を黒色系の色にするか、電子部品を鍵の幅内に納めるようにレイアウトすれば、さらに効果が上がる。
【００３３】
【発明の効果】
以上説明したように、本発明の請求項１の電子楽器の鍵盤装置によれば、基板の少なくとも前記複数の鍵の隣り合う鍵間に対応する面に、半田付けに対して抵抗性のある素材により黒色系にするような面処理を施したので、鍵と鍵の隙間から基板が見えず、鍵盤部分の見え懸り（見ばえ）が良くなるとともに、この面処理の部分を短絡防止として利用することもできる。
また、請求項２の電子楽器の鍵盤装置によれば、請求項１と同様な効果が得られるとともに、短絡防止部によりランドの短絡を防止することができる。
【図面の簡単な説明】
【図１】本発明の第１実施形態の電子楽器の鍵盤装置の要部を示す一部破断平面図である。
【図２】同鍵盤装置の断面図（図１のＰ−Ｐ断面図）である。
【図３】同鍵盤装置における鍵スイッチ部分の断面図である。
【図４】第２実施形態における回路基板の一部を示す平面図である。
【図５】図４のＡ−Ａ断面図およびＢ−Ｂ断面図である。
【符号の説明】
１…鍵、３…回路基板、４…鍵スイッチ、７，８…第２レジスト層、３１…基板、３２…配線パターン、３３…第１レジスト層、Ｄ…隙間
【図１】
0003614045.tif 000002
【図２】
0003614045.tif 000003
【図３】
0003614045.tif 000004
【図４】
0003614045.tif 000005
【図５】
0003614045.tif 000006